(57)【特許請求の範囲】
【請求項１】
複数の葉片を折り畳み或いは切り重ねて、任意の対向する葉片間を疑似接着フィルムシートを介して剥離可能に一体化した情報通信体における開封手段であり、大面積と小面積の葉片を重ね合わせると剥離開始部分で一致せず段差を形成する構成の対向葉片間に介在する疑似接着フィルムシートが、大面積の葉片側において全面的に被覆され、小面積の葉片側において剥離開始部分で露出すると共に大面積の葉片を被覆する疑似接着フィルムシートの端縁からはみ出すことがなく且つ一致せず摘み部分を形成するように両葉片の対向内面側に被覆されていることを特徴とした水濡れに強い情報通信体の開封手段。
【請求項２】
複数の葉片を折り畳み或いは切り重ねて、任意の対向する葉片間を疑似接着フィルムシートを介して剥離可能に一体化した情報通信体における開封手段であり、大面積と小面積の葉片を重ね合わせると剥離開始部分で一致せず段差を形成する構成の対向葉片間に介在する疑似接着フィルムシートが、大面積の葉片側において全面的に被覆され、小面積の葉片側において剥離開始部分で露出すると共に大面積の葉片を被覆する疑似接着フィルムシートの端縁からはみ出すことがなく且つ一致せず両葉片の対向内面側に被覆され、さらに前記小面積の葉片の外面側に被覆されたフィルムシート又は疑似接着フィルムシートが、前記剥離開始部分で露出している対向葉片間に介在する疑似接着フィルムシートと葉片を挟むことなく直接接着し摘み部分を形成していることを特徴とした水濡れに強い情報通信体の開封手段。
【発明の詳細な説明】
【技術分野】
【０００１】  本発明は複数の葉片が剥離可能に折り畳まれ或いは切り重ねられた情報通信体の開封手段に関する。詳しくは、最近盛んに使用されている、見掛けは通常の葉書であるにも関わらず、複数の葉片が剥離可能に積層されているため、多くの情報を隠蔽状態で伝達することができる葉書に代表される情報通信体の開封手段に関する。
【背景技術】
【０００２】  従来、前記複数の葉片が剥離可能に積層された葉書として、例えば特開２００４−９８６４４号公報に記載の葉書がある。前記特許文献では各葉片を剥離可能に接着（以下疑似接着という）する手段として、予め剥離可能に積層した疑似接着フィルムを使用するもの、印刷を施した後に疑似接着性の皮膜を形成するもの及び印刷を施す前に疑似接着性の樹脂を塗布しておくもの等の各手段を開示している。
【先行技術文献】
【０００３】
【特許文献】
【特許文献】特開２００４−９８６４４号公報
【発明の概要】
【発明が解決しようとする課題】
【０００４】  前記各種疑似接着媒体を使用した情報通信体は、剥離可能に接着する疑似接着媒体同士の間から剥離するきっかけが得られれば、容易に開封して平面に展開することができる。然るに、例えば個人の郵便受けの中で雨水等により濡れてしまい、各葉片の紙繊維が容易に解れて破断してしまうような状態の場合、指先でしごいて疑似接着媒体同士の間から剥離しようとすると疑似接着している葉片の用紙が解れたり或いは分断したりしてしまい、前記疑似接着媒体同士の間から剥離するきっかけを得ることができない。【０００５】  また、疑似接着媒体の接着性が良好すぎる場合も、前記水濡れの場合と同様に剥離に際して葉片の用紙が解れたり或いは分断したりしてしまい剥離が困難になる。
本発明は、仮に水を吸って濡れた状態や疑似接着が良好で強過ぎる場合でも、疑似接着媒体同士の間から容易にしかも確実に剥離を開始することが可能で、受取人が必ず内部に記載されている内容を確認することができる情報通信体の開封手段を提供することを目的としている。
【課題を解決するための手段】
【０００６】  上記目的を達成するために、本発明の水濡れに強い情報通信体の開封手段は、複数の葉片を折り畳み或いは切り重ねて、任意の対向する葉片間を疑似接着フィルムシートを介して剥離可能に一体化した情報通信体における開封手段であり、大面積と小面積の葉片を重ね合わせると剥離開始部分で一致せず段差を形成する構成の対向葉片間に介在する疑似接着フィルムシートが、大面積の葉片側において全面的に被覆され、小面積の葉片側において剥離開始部分で露出すると共に大面積の葉片を被覆する疑似接着フィルムシートの端縁からはみ出すことがなく且つ一致せず摘み部分を形成するように両葉片の対向内面側に被覆されていることを特徴としている。【０００７】また、上記目的を達成するために、本発明の異なる水濡れに強い情報通信体の開封手段は、複数の葉片を折り畳み或いは切り重ねて、任意の対向する葉片間を疑似接着フィルムシートを介して剥離可能に一体化した情報通信体における開封手段であり、大面積と小面積の葉片を重ね合わせると剥離開始部分で一致せず段差を形成する構成の対向葉片間に介在する疑似接着フィルムシートが、大面積の葉片側において全面的に被覆され、小面積の葉片側において剥離開始部分で露出すると共に大面積の葉片を被覆する疑似接着フィルムシートの端縁からはみ出すことがなく且つ一致せず両葉片の対向内面側に被覆され、さらに前記小面積の葉片の外面側に被覆されたフィルムシート又は疑似接着フィルムシートが、前記剥離開始部分で露出している対向葉片間に介在する疑似接着フィルムシートと葉片を挟むことなく直接接着し摘み部分を形成していることを特徴としている。【０００８】  前記段差の形状に制限はなく、例えばコーナーを三角状にカットした切り欠き等を好適に採用することができるがそれ以外の形状の切り欠きや段差形状でも構わない。【０００９】  本発明で使用される疑似接着フィルムシートは、例えば、ポリエチレンテレフタレート、二軸延伸ポリプロピレン、ポリエチレン、アセテート、ポリカーボネート等の比較的腰の強い基材の一方の面に疑似接着層を形成したドライラミネート方式に対応したプリントラミネート用の疑似接着フィルムシートや、前記基材の残るもう一方の面に公知の感熱接着剤層を形成した、サーマルラミネート方式に対応したプリントラミネート用の疑似接着フィルムシートを好適に使用することができる。前記疑似接着フィルムシートとしては、例えばケイディケイ株式会社製の商品名「ハガキフィルムドライ」や同じくケイディケイ株式会社製の商品名「ハガキフィルムサーマル」等を好適に使用することができる。【００１０】  前記疑似接着フィルムシートは、例えば印刷物の疑似接着予定面に被覆ラミネートして、その後前記疑似接着予定面同士を折り合わせ疑似接着層同士を対向させて加圧或いは加熱・加圧処理を施すと剥離可能に接着するものである。そして疑似接着後に前記対向面同士を引き剥がすと、疑似接着層同士の界面から剥離するか、或いは基材と何れかの疑似接着層との間から剥離するか、さらに前記両者の剥離が複合的に起こり、対向面同士を容易に剥離することができるのである。【００１１】  本発明の情報通信体を形成する葉片に使用される用紙は、上質紙��マットコート紙、グロスコート紙、合成紙その他の公知の用紙等を好適に使用することができる。なおマットコート紙やグロスコート紙のように表面処理が施されている塗工紙系（特にマットコート紙）が、用紙表面に塗工される成分が紙繊維同士のバインダー役を果たすため、水濡れに対しても解れたり或いは分断したりし難い性質を持つが、本発明によれば上質紙等の水濡れに弱い用紙であっても十分に効果を発揮して前記各用紙と同等に扱うことが可能になる。【００１２】  本発明の情報通信体は、長尺状シートを使用したビジネスフォーム印刷や輪転印刷で製造しても或いは枚葉状シートを使用したオフセット印刷により製造しても構わない。ビジネスフォーム印刷の場合、例えば印刷後の長尺状シートをピントラクタに沿って搬送する情報通信体の製造機に掛ければ、前記工程が一貫して行うことができるため至便である。またオフセット印刷の場合、前記ビジネスフォーム印刷と同様に一貫して行うこともできるが、例えば各工程をラインで繋ぐのではなく、全ての工程或いは一部の工程を、それぞれの工程の専用加工機を使用して、個別に処理しても構わない。【００１３】  本発明の段差部分の機構を分かりやすく説明すると、図４に示すように、剥離開始部分に当たる切り欠き部Ｋは全てがフィルムシートＦ及び疑似接着フィルムシートＧにより被覆されている。開封するには剥離開始部分の疑似接着を剥離して、下側葉片１を被覆している疑似接着フィルムシートＧ部分と上側葉片２を包み込んでいる疑似接着フィルムシートＧ及びフィルムシートＦを指で摘んで分離すればよい。この際分離される両葉片１及び２はフィルムシートＦ及び疑似接着フィルムシートＧにより被覆されているために解れたり分断したりすることなしに最後までスムーズに開封される。【００１４】  本発明において、情報通信体の開封開始部分に設けられる切り欠き等の形状に格別な制限はない。例えばコーナー部分を三角形状にカットしたり、任意の形状の切り欠きを設けたりしても良い。またコーナー部分以外でも開封側縁辺に沿った任意の箇所に切り欠きを設けてもよい。さらに対向葉片の幅を異にすることにより形成された開封縁辺に沿って生じる段差部分の任意の箇所にフィルムシートや疑似接着フィルムシートによる摘み部分を形成しても構わない。
【発明の効果】
【００１５】  本発明の水濡れに強い情報通信体の開封手段によれば、通常では簡単に破断して開封不能になる水濡れや、疑似接着が良好すぎて強い剥離力を必要とする状態でも、容易に剥離を開始することができ、しかも剥離途中での葉片の破断がなくなり確実に開封することが可能になる。
【図面の簡単な説明】
【００１６】
【図１】（Ａ）、（Ｂ）及び（Ｃ）は本発明の水濡れに強い情報通信体の代表的な例である二つ折り葉書Ｊ１の表面図、裏面図及び（Ｂ）におけるＩ−Ｉ線断面図である。
【図２】（Ａ）、（Ｂ）及び（Ｃ）は二つ折り葉書Ｊ１を構成する葉書用紙Ｓ１の表面図、裏面図及び（Ｂ）におけるＩＩ−ＩＩ線断面図である。
【図３】（Ａ）及び（Ｂ）はフィルムシートＦ及び疑似接着フィルムシートＧのそれぞれ厚さ方向に拡大した断面図である。
【図４】図１（Ｃ）の断面図における剥離口部分の拡大断面図である。
【図５】（Ａ）、（Ｂ）及び（Ｃ）は本発明の三つ折り葉書Ｊ２の表面図、裏面図及び（Ａ）におけるＩＩＩ−ＩＩＩ線断面図である。
【図６】（Ａ）、（Ｂ）及び（Ｃ）は二つ折り葉書Ｊ２を構成する葉書用紙Ｓ２の表面図、裏面図及び（Ｂ）におけるＩＶ−ＩＶ線断面図である。
【図７】（Ａ）、（Ｂ）及び（Ｃ）は実施例２と異なる態様の三つ折り葉書Ｊ２の表面図、裏面図及び（Ａ）におけるＶ−Ｖ線断面図である。
【図８】（Ａ）及び（Ｂ）は切り欠き部Ｋの略半分を各種フィルムシートで被覆した葉書用紙Ｓ３の表面図及び裏面図である。
【図９】二つ折り葉書Ｊ４の裏面図である。
【図１０】（Ａ）、（Ｂ）及び（Ｃ）は切り欠き部Ｋを対向面間に介在する疑似接着フィルムシートＧで構成した二つ折り葉書のそれぞれ表面図、裏面図及びＶＩ−ＶＩ線断面図を表す。
【図１１】図１０（Ｃ）の断面図における剥離口部分の拡大断面図である。
【図１２】（Ａ）、（Ｂ）及び（Ｃ）は切り欠き部Ｋを対向面間に介在する疑似接着フィルムシートＧで構成した三つ折り葉書のそれぞれ表面図、裏面図及びＶＩＩ−ＶＩＩ線断面図を表す。
【図１３】実施例５の二つ折り葉書の切り欠き部Ｋの変形例を示す斜視図である。
【発明を実施するための形態】
【００１７】  以下、本発明の実施の形態を図面に基づいて具体的に説明する。
［実施例１：二つ折り葉書の開封手段］
本実施例で使用される二つ折り葉書用紙Ｓ１の表面は、図２（Ａ）に示すように、郵便切手欄、郵便番号欄及び受取人の住所氏名等が記載された第一葉片１と、第一葉片１より幅が狭く、右下部に例えばコーナーカット部Ｋが形成された第二葉片２が折り線３を介して連接されている。なお、第二葉片２表面には例えば宣伝広告等の一般情報４が記載されており、その上からフィルムシートＦにより被覆されている。なお一般情報を記載する代わりに、二つ折り葉書が完成した後に内部の情報が外部から透けて見えにくいように、地紋や連続パターン或いはベタ印刷等を施しても構わない。
【００１８】  前記フィルムシートＦは図３（Ａ）に示すように、例えば二軸延伸ポリプロピレン、ポリエチレンテレフタレート等からなる基材１１の片面に公知の感熱接着剤層１２を設けたプリントラミネート用のフィルムシート等を好適に使用することができる。
【００１９】  また裏面側は、図２（Ｂ）に示すように、疑似接着フィルムシートＧが両葉片に被覆されており、そして前記疑似接着フィルムシートＧを透して個人的な秘密情報５等（必ずしも秘密情報でなく一般情報でも或いは両者が混在していても構わない）を視認することができる。
【００２０】  前記疑似接着フィルムシートＧは図３（Ｂ）に示すように、二軸延伸ポリプロピレン、ポリエチレンテレフタレート等からなる基材１１の片面に公知の感熱接着剤層１２を設けると共にその逆側の面に疑似接着層１３を形成したものを好適に使用することができる。このようなものとしてケイディケイ株式会社製の商品名「ハガキフィルムサーマル」が販売されている。
【００２１】  ところで前記二つ折り葉書用紙Ｓ１の第二葉片に設けられた切り欠き部Ｋでは、図２（Ｃ）に示すように、間に葉片を挟むことなしに疑似接着フィルムシートＧとフィルムシートＦが直接接着している。
【００２２】  既述の通り構成された二つ折り葉書用紙Ｓ１は折り線３から折り畳まれて図１の状態に仕上げられる。この二つ折り葉書Ｊ１の受取人は、図４に示すように、切り欠き部Ｋに形成されているフィルムシートＦ及び疑似接着フィルムシートＧとからなる摘み部分を、第一葉片１に被覆された疑似接着フィルムシートＧから引き剥がし、その後第二葉片２と第一葉片１を連続的に剥離することができる。
【００２３】  このような構成のため、仮に各葉片が水に濡れていて、解れたり或いは分断したりしやすい状態であっても、開封の端緒となる切り欠き部Ｋが完全にフィルムシートにより保護されているため、対向する葉片を確実に分離することができる。いったん分離が開始された両葉片はその後連続的に剥離が持続され最後まで確実に開封することができる。
【００２４】［実施例２：三つ折葉書の開封手段］
本実施例で使用される三つ折り葉書用紙Ｓ２の表面は、図６（Ａ）に示すように、第一葉片２１、第二葉片２２及び第三葉片２３が折り線２４及び２５を介して横方向に連接されている。第一葉片２１表面には郵便切手欄、郵便番号欄及び受取人の住所氏名等が記載され、第二葉片２２及び第三葉片表面には個人情報２６（一般情報或いは個人情報と一般情報の両者でも構わない）等が記載されている。
【００２５】  第一葉片２１は左下部分がコーナーカットされ切り欠き部Ｋを形成している。そしてその部分を覆うようにフィルムシートＦが貼り込まれている。また第二葉片２２及び第三葉片２３表面を略全面覆うように疑似接着フィルムシートＧが被覆されている。なお第三葉片２３の右下部分もコーナーカットされている。
【００２６】  図６（Ｂ）に示すように、第三葉片２３裏面には広告宣伝等の一般情報２７が記載され、第二葉片２２及び第一葉片２１裏面にはそれぞれ個人情報２６（一般情報或いは個人情報と一般情報の両者でも構わない）等が記載されている。そして前記３葉片裏面は全面に渡り疑似接着フィルムシートＧが被覆されている。
【００２７】  ところで、本実施例では、フィルムシートＦと疑似接着フィルムシートＧの２種類を使い分けて被覆しているが、第一葉片２１表面を被覆しているフィルムシートＦを疑似接着フィルムシートＧに代えても構わず、さらに第三葉片２３裏面を被覆している疑似接着フィルムシートＧをフィルムシートＦに代えても構わない。
【００２８】  そして前記三つ折り葉書用紙Ｓ２の第一葉片２１及び第三葉片２３のコーナー部分に設けられた切り欠き部Ｋでは、図６（Ｃ）に示すように、間に葉片を挟むことなしに疑似接着フィルムシートＧとフィルムシートＦ或いは疑似接着フィルムシートＧ同士が直接接着している。
【００２９】  記述の通り構成された三つ折り葉書用紙Ｓ２は、折り線２４及び２５から断面Ｚ字状に折り畳まれて、図５に示すように剥離可能な状態に一体化される。この三つ折り葉書Ｊ２の受取人は、図５（Ｃ）に示す切り欠き部Ｋに形成されているフィルムシートＦ及び疑似接着フィルムシートＧ或いは疑似接着フィルムシートＧ同士とからなる摘み部分を、対向する疑似接着フィルムシートＧから引き剥がし、その後各葉片を剥離して図６に示すように平面に展開することができる。そして各葉片の内部に隠蔽されていた個人情報２６等を、透明或いは半透明の疑似接着フィルムシートＧを透して確認することができるのである。
【００３０】  本実施例の三つ折り葉書はこのような構成のため、仮に各葉片が水に濡れていて、解れたり或いは分断したりしやすい状態であっても、開封の端緒となる切り欠き部Ｋが完全にフィルムシートにより保護されているため、対向する葉片を確実に分離することができる。いったん分離が開始された両葉片はその後連続的に剥離が持続され最後まで確実に開封することができる。
【００３１】［実施例３：変形三つ折り葉書の開封手段］
本実施例の三つ折り葉書Ｊ３は、図７に示すように、三つ折り葉書において郵便切手欄や郵便番号欄及び受取人の住所氏名が記載されている第一葉片３１と第二葉片３２の対向面間が接着剤層Ｐ等により剥離不能に接着されたものである。なお第二葉片３２及び第三葉片３３の対向面間は疑似接着フィルムシートＧにより剥離可能に接着されている。このものは最終的に二つ折りの形態に展開される。
【００３２】  なお本実施例における接着剤層Ｐは予め用紙に直接塗布されていてもかまわず、或いは両面接着性のフィルムシートを対向する完全接着予定面の両側や片側に被覆してもかまわない。また両面接着性のフィルムシートを完全接着予定の対向面間に挿入して剥離不能に完全接着してもかまわない。
【００３３】［実施例４：二つ折り及び三つ折り葉書の変形開封手段１］
図８に示すように、折り線４３を介して連接された幅が同じ葉片４１、４２からなる葉書用紙Ｓ３を使用しても構わない。この場合、第二葉片４２の右下部分に形成された切り欠き部Ｋの略半分を補うようにフィルムシートＦや疑似接着フィルムシートＧを被覆しておけばよい。
【００３４】  前記葉書用紙Ｓ３により完成した葉書Ｊ４は図９に示す外観になる。この葉書の受取人は、図中左下の第二葉片４２の切り欠き部分Ｋに被覆された各種フィルムシートと第一葉片４１に被覆されている疑似接着フィルムシートＧを、図４に示すように剥離して開封することができる。なおこの切り欠き部Ｋの各種フィルムシートの被覆構造は、三つ折り葉書に応用可能であることはいうまでもない。
【００３５】［実施例５：二つ折り及び三つ折り葉書の変形開封手段２］
図１０に示すように、実施例１におけるフィルムシートＦを省略して、対向葉片間に介在する疑似接着フィルムシートＧにより切り欠き部Ｋを形成しておいても構わない。この場合図１１に示すように疑似接着フィルムシートＧ同士を剥離すればよく、何れにしても水濡れに影響を受けない疑似接着フィルムシートＧ同士により剥離が継続されるため最後までスムーズに展開することができる。
【００３６】  前記切り欠き部Ｋの構成は実施例２の三つ折り葉書にも応用することができる。即ち図１２に示すように、第一葉片６１を被覆していたフィルムシートＦと第三葉片６３の表出面を被覆していた疑似接着フィルムシートＧを省略し、２箇所の対向葉片間に介在する疑似接着フィルムシートＧで切り欠き部Ｋを形成するものである。
【００３７】  なお前記実施例５に、図１３に示すように実施例４の切り欠き部Ｋの一部を覆う形態が適用できることはいうまでもない。
【００３８】  本発明は上記実施例に限定されるものではない。
例えば、記述の実施例では、葉書の形態の情報通信体について説明しているが、葉書以外にも封書やＤＭ等に使用できることはいうまでもない。
また、葉片の数や折りの形態にも格別な制限はなく、蛇腹折り、巻き折り、観音開き折り、蛇腹や巻きの複合折り等の形態に適用することができる。
【符号の説明】
【００３９】Ｊ１、Ｊ２、Ｊ３、Ｊ４、Ｊ５、Ｊ６  葉書
Ｓ１、Ｓ２、Ｓ３、  葉書用紙
Ｆ  フィルムシート
Ｇ  疑似接着フィルムシート
Ｋ  切り欠き部
Ｐ  接着剤層
１、２、２１、２２、２３、３１、３２、３３、４１、４２、５１、５２、６１、６２、６３  葉片
３、２４、２５、３４、３５、４３、５３、６４、６５  折り線
１１  基材
１２  感熱接着剤層
１３  疑似接着層
４、２７  一般情報
５、２６  個人情報
【図１】
0005920695.tif 000002
【図２】
0005920695.tif 000003
【図３】
0005920695.tif 000004
【図４】
0005920695.tif 000005
【図５】
0005920695.tif 000006
【図６】
0005920695.tif 000007
【図７】
0005920695.tif 000008
【図８】
0005920695.tif 000009
【図９】
0005920695.tif 000010
【図１０】
0005920695.tif 000011
【図１１】
0005920695.tif 000012
【図１２】
0005920695.tif 000013
【図１３】
0005920695.tif 000014